(57)【要約】【課題】審美性および意匠性により一層優れた光ディスクを提供する。【解決手段】ＤＶＤ１は、樹脂板からなる透明な第１および第２ディスク基板３,４と反射膜５とから積層体の透明または半透明のベースディスク２を有する。このベースディスク２の入射光の入射側と反対側の第２ディスク基板４に、方向Ａからベースディスク２を通して見ることのできる情報を表示した第１表示層１３が形成され、また第１表示層１３に不透明な第１背景層１４が形成され、更に第１背景層１４に不透明な第２背景層１５が形成され、更に第２背景層１５に、が形成され方向Ｂから見ることのできる情報を表示した第２表示層１６が形成されている。【選択図】    図１
2006302460.tif 000002
【特許請求の範囲】
【請求項１】
一対の透明な第１および第２ディスク基板と、前記第１および第２ディスク基板の間に介在された反射膜とを有し、少なくとも、前記第１ディスク基板に入射した光を前記反射膜で反射させることにより、光を用いて前記第１ディスク基板に記録された情報が読み取られるようになっているベースディスクを備えた光ディスクにおいて、
前記ベースディスクが透明または半透明に形成されており、
前記第２ディスク基板に、前記第１ディスク基板側から前記ベースディスクを通して見ることのできる情報を表示した第１表示層が形成されているとともに、この第１表示層に不透明層が形成されており、更にこの不透明層に、前記第１ディスク基板側と反対側から見ることのできる情報を表示した第２表示層が形成されていることを特徴とする光ディスク。
【請求項２】
前記第１表示層の情報と前記第２表示層の情報とが、互いに同じであるかまたは異なることを特徴とする請求項１記載の光ディスク。
【請求項３】
前記第１表示層の情報と前記第２表示層の情報は、それぞれ、装飾性情報および記録性情報の少なくとも１つであることを特徴とする請求項１または２記載の光ディスク。
【発明の詳細な説明】
【技術分野】
【０００１】
本発明は、一対の透明なディスク基板とこれらのディスク基板の間に介在された反射膜とを有し、光を用いて情報を記録および／または再生する、例えばＤＶＤ（Digital
Versatile Disk）、ＣＤ（Compact Disk）等の光情報記録媒体である積層型の光ディスクの技術分野に関する。
【背景技術】
【０００２】
レーザ光などの光学系により記録信号を読み取ったり、あるいは書き込んだりする光記録媒体である光ディスクが種々提案されている。このような光ディスクとして、透明な樹脂からなる一対のディスク基板の間に反射膜を介在させて形成された積層型の光ディスクが知られている（例えば、特許文献１参照）。
【０００３】
この積層型の光ディスクにおいては、少なくとも、透明なディスク基板に光を入射させるとともにこの入射光が反射膜に当たって反射した反射光を検出することにより、ディスク基板に記録された情報が読み取られるようになっている。
【特許文献１】特開２００３−７７１９０号公報。
【発明の開示】
【発明が解決しようとする課題】
【０００４】
ところで、近年、光ディスクにおいては製品の高付加価値化を図ることが求められており、この要求の１つとして、製品の審美性および意匠性を向上する要求が高くなっている。しかし、前述のような従来の光ディスクは、２枚のディスク基板は透明樹脂からなっているものの、反射膜は光を反射させるために不透明膜で形成されているため、光ディスク自体は不透明なディスクとなっている。このため、従来の光ディスクでは、審美性および意匠性に対する自由度が低く、審美性の向上および意匠性の向上には限度があった。
【０００５】
そこで、本発明者は光ディスク自体を透明または半透明に形成した光ディスクを発明し、本出願人が特許出願している（特願２００４−１３９９５０号）。このような透明または半透明の光ディスクによれば、前述の要求に応えることができるが、光ディスクの製品価値を更に高めるうえで、透明または半透明の光ディスクの入射光の入射側と反対側に、絵、柄、色彩等の装飾性情報や記録内容を示す記録性情報を印刷することが考えられる。しかしながら、透明または半透明の光ディスクの入射光の入射側と反対側に、これらの情報を単に印刷すると、印刷された情報は光ディスクの入射光の入射側から見たときに左右逆に見えてしまい、光ディスクの入射光の入射側と反対側から見た場合と異なってしまう。
【０００６】
このようなことから、透明または半透明の光ディスクに形成される装飾性情報や記録性情報を光ディスクの両側で左右逆に見えることはなく、正規に見えることができるようにするとともに、光ディスクの両側に形成される装飾性情報や記録性情報を同じになるようしたり、あるいは異なるようにしたりすることで、製品の審美性および意匠性を更に一層向上することが求められている。
【０００７】
本発明は、このような事情に鑑みてなされたものであって、その目的は、更なる審美性および意匠性を得ることのできる光ディスクを提供することである。
【課題を解決するための手段】
【０００８】
前述の課題を解決するために、請求項１の発明の光ディスクは、一対の透明な第１および第２ディスク基板と、前記第１および第２ディスク基板の間に介在された反射膜とを有し、少なくとも、前記第１ディスク基板に入射した光を前記反射膜で反射させることにより、光を用いて前記第１ディスク基板に記録された情報が読み取られるようになっているベースディスクを備えた光ディスクにおいて、前記ベースディスクが透明または半透明に形成されており、前記第２ディスク基板に、前記第１ディスク基板側から前記ベースディスクを通して見ることのできる情報を表示した第１表示層が形成されているとともに、この第１表示層に不透明層が形成されており、更にこの不透明層に、前記第１ディスク基板側と反対側から見ることのできる情報を表示した第２表示層が形成されていることを特徴としている。
【０００９】
また、請求項２の発明は、前記第１表示層の情報と前記第２表示層の情報とが、互いに同じであるかまたは異なることを特徴としている。
【００１０】
更に、請求項３の発明は、前記第１表示層の情報と前記第２表示層の情報が、それぞれ、装飾性情報および記録性情報の少なくとも１つであることを特徴としている。
【発明の効果】
【００１１】
このように構成された本発明の光ディスクによれば、光ディスクのベースディスク全体を透明または半透明に形成するとともに、情報を読み取るための光が入射しかつ反射する側と反対側であるベースディスク２の第２ディスク基板の表面に、第１ディスク基板側からベースディスクを通して見ることのできる、絵、柄、模様、および文字等の装飾性情報および光ディスクの記録内容を示す記録性情報等の種々の情報を表示する第１表示層を設けるとともに、この第１表示層に設けられた不透明層に、第２ディスク基板側から見ることのできる、絵、柄、模様、および文字等の装飾性情報および光ディスクの記録内容を示す記録性情報等の種々の情報を表示する第２表示層を設けているので、光ディスクの一側から見た情報および光ディスクの他側から見た情報も、ともに左右逆に見えることはなく正規に見ることができる。
【００１２】
また、光ディスクの一側から見た情報および光ディスクの他側から見た情報を種々設定することができるとともに、光ディスクの一側から見た情報および光ディスクの他側から見た情報を互いに異ならせたり同じにしたりすることができる。これにより、光ディスクに対する、文字、絵、模様、あるいは色彩等の意匠上の自由度が高くなるとともに、光ディスクの記録内容等の表示上の自由度も高くなる。
【００１３】
したがって、審美性および意匠性がより一層優れるとともに、表示性がより一層優れた光ディスクを得ることができる。
【発明を実施するための最良の形態】
【００１４】
以下、図面を用いて本発明を実施するための最良の形態について説明する。
【００１５】
図１は、本発明に係る光ディスクの実施の形態の一例を模式的に示し、（ａ）は平面図、（ｂ）は（ａ）におけるIB−IB線に沿う断面図である。
【００１６】
図１（ａ）および（ｂ）に示すように、この例の光ディスクであるＤＶＤ１は光情報記録媒体として機能し、ベースディスク２を備えている。このベースディスク２は、樹脂板からなる透明な第１および第２ディスク基板３,４と光情報記録部である反射膜５とから積層体として構成されている。
【００１７】
その場合、第１ディスク基板３の一面に反射膜５が形成されているとともに、この反射膜５の第１ディスク基板３と反対側の面に、第２ディスク基板４が接着剤６により貼り合わされている。
【００１８】
第１および第２ディスク基板３,４に用いられる樹脂の材料としては、ポリカーボネイトあるいはアクリル等の透明な樹脂を用いることができる。
【００１９】
また、反射膜５に用いられる材料としては、金、銀、銀合金、あるいはシリコン等を用いることができる。
【００２０】
更に、接着剤６としては、従来からＤＶＤに用いられているＤＶＤ専用紫外線硬化型接着剤であり、このＤＶＤ専用紫外線硬化型接着剤は、例えば大日本インキ社製、日本化薬社製、ハンツマン社製、３ボンド社製のいずれのものも用いることができる。
【００２１】
ＤＶＤ１のベースディスク２の反射率はＤＶＤ Ｂｏｏｋ 規格である４５％〜８５％に設定される。反射率の測定は、従来のＤＶＤ１の反射率と同じ測定方法で行う。
【００２２】
本発明では、透明とは反射膜５の透過率が２５％以上であって、ベースディスク２が透けてその反対側が比較的明瞭に見えることをいう。また、半透明とは反射膜５の透過率が１５％以上２５％未満であって、ベースディスク２が透けずその反対側がおぼろげに見えることをいう。更に、不透明とは反射膜５の透過率が１５％未満であって、ベースディスク２がまったく透けずその反対側がまったく見えないことをいう。
【００２３】
この例のＤＶＤ１のベースディスク２においては、反射膜５の透過率は、１５％以上３３％以下の範囲に設定される。好ましくは、反射膜５の透過率は２９％±２％の範囲に設定される。更に、最も好ましくは反射膜５の透過率は２９％に設定される。反射膜５の透過率が２５％以上の範囲に設定された場合は、ベースディスク２全体は透明になる。また、反射膜５の透過率が１５％以上２５％未満の範囲に設定された場合は、ベースディスク２全体は半透明になる。更に、反射膜５の透過率が１５％未満の範囲に設定された場合は、ベースディスク２全体は不透明になる。反射膜５の透過率の測定方法は、後述する反射膜５を成膜するスパッタ装置７に組み込まれた図２に示すように透過率測定装置の発光素子８からＬＥＤを、反射膜５が成形された第１ディスク基板３に照射し、第１ディスク基板３を透過したＬＥＤを受光素子９で受光することで、透過率を測定する。
【００２４】
この例のＤＶＤ１では、図１（ｂ）に矢印で示すように外部から第１ディスク基板３を透過してＤＶＤ１内に進入した光（入射光）は反射膜５に当たった後、この反射膜５によって反射してＤＶＤ１外に反射光として進出するようになっている。
【００２５】
なお、この例のＤＶＤ１は前述の２つのサイズ以外のサイズのディスクに対応することもできる。
【００２６】
次に、このように構成されたこの例のＤＶＤ１のベースディスク２の製造方法について説明する。
【００２７】
まず、第１および第２ディスク基板３,４は従来のＤＶＤと同様の製造方法で製造される。すなわち、前述の透明な樹脂を用いて射出成形機で前述の規格を満たした所定のサイズの板状に成形するとともに、成形後の板状の樹脂を常温に冷却して第１および第２ディスク基板３,４を製造する。
【００２８】
次に、第１ディスク基板３に対して、前述の反射膜５の材料を用いてスパッタリングを行い、第１ディスク基板３に透過率が前述の１５％〜３３％の範囲で設定される透過率となるように成膜する。このとき、設定される透過率は、±の所定の幅を持って設定する。透過率の設定は、スパッタリングパワー（ｋｗ）、スパッタリングエネルギ（Ｊ）およびスパッタリング時の真空値からなるスパッタリング条件を、使用する反射膜５の材料に応じて設定することで行う。
【００２９】
図３に示すように、このスパッタリングは従来公知のスパッタ装置７を用いて行う。すなわち、スパッタ装置７のスパッタリング室１０内に設置されているマグネトロン１１に、反射膜５に用いる前述の材料のいずれかをセットするとともに、第１ディスク基板３をスパッタリング室１０内に反射膜５の材料に対向してセットする。
【００３０】
次に、スパッタリング室１０内を真空値０.４Ｐａ（４.０×１０-3mbar）以下の真空状態にし、この状態で９９.９９％以上の純度を有するアルゴンガスをスパッタリング室１０内に注入する。次いで、スパッタリング室１０内を真空値０.２Ｐａ±０.１Ｐａ（２.０×１０-3mbar±１.０×１０-3mbar）の真空状態にし、２.０kwの一定のスパッタリングパワーを電極１２を介してマグネトロン１１に印加することで、スパッタリングを行う。これにより、反射膜５の材料の電子が飛び出して第１ディスク基板３上に付着し、反射膜５が第１ディスク基板３に成形される。このとき、スパッタリングエネルギが８００Ｊ〜１,５００Ｊの範囲で電流を変更しながら、スパッタリング時の反射膜５の膜厚を、透過率が設定透過率となるようにコントロールする。具体的には、スパッタリングにより反射膜５が成形された第１ディスク基板３に対して、前述の透過率測定方法で透過率をモニターする。この透過率のモニター値が設定透過率内にあれば、スパッタ装置７は第１ディスク基板３を良（ＯＫ）と判定し、この第１ディスク基板３はＤＶＤ１のベースディスク２の製造に用いられる。また、透過率のモニター値が設定透過率を外れた場合は、スパッタ装置７は第１ディスク基板３を不良（ＮＧ）と判定して排除され、この第１ディスク基板３はＤＶＤ１のベースディスク２の製造に用いられない。
【００３１】
更に、スパッタ装置７による第１ディスク基板３への反射膜５の成膜が開始されると、短時間（０.５sec〜５sec）内にスパッタリング室１０内で前述の真空値に基づく真空→アルゴンガス注入→スパッタリング→真空破壊→真空と、以下同じことが繰り返されるため、スパッタリング室１０内に一時的に大気が混入してスパッタリング室１０内の真空値が変動する。したがって、スパッタリングはスパッタリング室１０内の真空値が最も悪くならなった状態でスパッタリングが可能な限界値である１.０Ｐａ（１.０×１０-2mbar）となるようにコントロールされる。
【００３２】
このように良と判定された第１ディスク基板３の反射膜５にＤＶＤ専用接着剤６を用いて第２ディスク基板４を貼り合わせる。その後、ＤＶＤ専用接着剤６に紫外線を照射して接着剤を硬化させて、ＤＶＤ１のベースディスク２を完成する。
【００３３】
次に、この例におけるＤＶＤ１のベースディスク２の実施例および比較例について説明する。
（実施例１）
ポリカーボネイトを用いて前述の製造方法で、厚みがともに０.５９０ｍｍ、外径がともに１２０ｍｍ、内径がともに１５.０ｍｍの第１および第２ディスク基板３,４を製造した。次いで、前述のスパッタリングによる成膜方法で、Ａｇを用いて透過率２９％の反射膜５を第１ディスク基板３に成形した。次に、第１ディスク基板３上に成形された反射膜５に、ＤＶＤ用接着剤としてハンツマン社製の「ＸＤ ４７６２」を用いて第２ディスク基板４を貼り合わせ、全体の厚みが１.２５ｍｍの実施例１のＤＶＤ１のベースディスク２を製造した。
（比較例１）
ポリカーボネイトを用いて前述の実施例１と同じ第１および第２ディスク基板３,４を製造した。次いで、前述のスパッタリングによる成膜方法で、Ａｇを用いて透過率４０％の反射膜５を第１ディスク基板３に成形した。以下、前述の実施例１と同じようにして比較例１のＤＶＤ１のベースディスク２を製造した。
（比較例２）
ポリカーボネイトを用いて前述の実施例１と同じ第１および第２ディスク基板３,４を製造した。次いで、前述のスパッタリングによる成膜方法で、Ａｇを用いて透過率３５％の反射膜５を第１ディスク基板３に成形した。以下、前述の実施例１と同じようにして比較例１のＤＶＤ１のベースディスク２を製造した。
（比較例３）
ポリカーボネイトを用いて前述の実施例１と同じ第１および第２ディスク基板３,４を製造した。次いで、前述のスパッタリングによる成膜方法で、Ａｇを用いて透過率１０％の反射膜５を第１ディスク基板３に成形した。以下、前述の実施例１と同じようにして比較例１のＤＶＤ１のベースディスク２を製造した。
【００３４】
そして、これらの実施例１および比較例１ないし３の各ベースディスク２について、それぞれ反射率を測定した。その場合、反射率はベースディスク２の内周面から外周面に向かって径方向にスキャンしながら測定し、反射率の最小値、最大値および平均値を得た。それらの測定結果および測定結果に基づく評価を表１に示す。
【００３５】
【表１】
2006302460.tif 000003
表１から明らかなように、実施例１のベースディスク２は透明であり、しかもその反射率は、最小値が４７.８２％、最大値が５３.９７％、平均値５２.１５％であり、最小値、最大値および平均値がいずれもＤＶＤ Ｂｒｏｏｋ 規格を満たすものであった。したがって、実施例１のベースディスク２は本発明のＤＶＤ１のベースディスク２として認められ、○の評価を得た。
【００３６】
また、比較例１のベースディスク２は透明であったが、その反射率は、最小値が４０.４５％、最大値が４９.２８％、平均値４６.６４％であり、最小値がＤＶＤ Ｂｒｏｏｋ 規格を満たさないものであった。したがって、比較例１のＤＶＤ１のベースディスク２は本発明のＤＶＤ１のベースディスク２として認められず、×の評価を得た。
【００３７】
更に、比較例２のベースディスク２は透明であったが、その反射率は、最小値が４３.６７％、最大値が４５.７７％、平均値４４.７７％であり、最小値がＤＶＤ Ｂｒｏｏｋ 規格を満たさないものであった。したがって、比較例２のＤＶＤ１のベースディスク２は本発明のＤＶＤ１のベースディスク２として認められず、×の評価を得た。
【００３８】
更に、比較例３のベースディスク２の反射率は、最小値が５８.５２％、最大値が６３.４１％、平均値６１.８９％であり、最小値、最大値および平均値がいずれもＤＶＤ Ｂｒｏｏｋ 規格を満たすものであった。しかし、ベースディスク２自体は透過率１０％であり、従来のＤＶＤと同様に不透明であった。したがって、比較例３のＤＶＤ１のベースディスク２は本発明の透明または半透明のベースディスク２として認められず、×の評価を得た。
【００３９】
更に、この例のＤＶＤ１においては、情報を読み取るための光が入射しかつ反射する側と反対側であるベースディスク２の第２ディスク基板４の表面に、例えば図４に示すような絵、柄、模様、色彩、文字、および記号等の装飾性情報およびＤＶＤ１の記録内容を示す記録性情報の少なくとも一方を表示する第１表示層１３が形成されている。この第１表示層１３の装飾性情報および記録性情報は、いずれも、シルク印刷またはオフセット印刷で第２ディスク基板４の表面に印刷される。その場合、第１表示層１３の装飾性情報および記録性情報は、いずれも、ベースディスク２の入射光が入射される側（図１（ｂ）に示す方向Ａ）から見たときに、文字等の表示内容が逆にならないよう印刷される。これにより、第１表示層１３の装飾性情報および記録性情報が、方向Ａから透明または半透明のベースディスク２を通して正規に見ることができるようにされている。
【００４０】
更に、この第１表示層１３の表面に、図４に示すような白色または単色の第１単色層である第１背景層１４が形成されている。この第１背景層１４は、白色のインクまたは単色のインクを第２ディスク基板４の表面にシルク印刷でベタ塗りされて形成される。そして、第１背景層１４は方向Ａから透明または半透明のベースディスク２を通して見た場合の背景色とされている。
【００４１】
更に、この第１背景層１４の表面に、図４に示すような白色または単色の第２単色層である第２背景層１５が形成されている。この第２背景層１５は、白色のインクまたは単色のインクを第１背景層１４の表面にシルク印刷でベタ塗りされて形成される。その場合、第２背景層１５のインクの色は、第１背景層１４のインクの色と同じ色であってもよいし、異なる色であってもよい。これらの第１および第２背景層１４,１５により不透明層が形成され、この不透明層により透明または半透明に形成されたベースディスク２、第１表示層１３、第１および第２背景層１４,１５の全体が不透明に形成される。そして、第２背景層１５は、ベースディスク２の入射光が入射される側（図１（ｂ）に示す方向Ｂ）から見た場合の背景色とされている。なお、不透明層は第１および第２背景層１４,１５の２層で形成されているが、第１および第２背景層１４,１５のいずれか１層で形成することもできるし、３層移住で形成することもできる。
【００４２】
更に、第２背景層１５の表面に、図４に示すような絵、柄、模様、および文字等の装飾性情報およびＤＶＤ１の記録内容を示す記録性情報の少なくとも一方を表示する第２表示層１６が形成されている。この第２表示層１６の装飾性情報および記録性情報は、いずれも、シルク印刷またはオフセット印刷で第２背景層１５の表面に印刷される。その場合、第２表示層１６の装飾性情報は第１表示層１３の装飾性情報と同じであってもよいし、または異なってもよい。また、第２表示層１６の記録性情報は、その表示スタイルが第１表示層１３の記録性情報と同じであってもよいし、または異なってもよい。更に、特に第１表示層１３の装飾性情報と第２表示層１６の装飾性情報とが左右対称である以外、まったく同じである場合には、それらの情報の位置を合わせる（完全に重なる）ようにすることもできる。
【００４３】
このようにして、ベースディスク２、第１および第２表示層１３,１６を備えた多層のＤＶＤ１が構成されている。
【００４４】
この例のＤＶＤ１のベースディスク２は、既存の８ｃｍディスクおよび１２ｃｍディスクに対応することができ、ＤＶＤ Ｂｏｏｋ 規格に準拠して製造される。８ｃｍディスクおよび１２ｃｍディスクに対応したベースディスク２の場合には、第１および第２ディスク基板３,４の厚みがいずれも、８ｃｍディスクおよび１２ｃｍディスクとも０.５５ｍｍ〜０.６３に設定されるとともに、貼り合わせ後の完成されたベースディスク２の厚みが８ｃｍディスクおよび１２ｃｍディスクとも１.１４ｍｍ〜１.１５ｍｍに設定される。更に、ベースディスク２の重さが、８ｃｍディスクの場合は６.０ｇ〜９.０ｇに設定され、１２ｃｍディスクの場合は１３.０ｇ〜２０.０ｇに設定される。
【００４５】
また、ＤＶＤ１のトラックパスは８ｃｍディスクおよび１２ｃｍディスクともシングルであり、ＤＶＤの形態は８ｃｍディスクおよび１２ｃｍディスクとも、ＤＶＤ−Ｖｉｄｅｏ、ＤＶＤ−ＲＯＭ、ＤＶＤ−Ａｕｄｉｏ、ＤＶＤーＥｕｈａｎｃｅｄである。更に、ＤＶＤ１の外径は、８ｃｍディスクの場合は８０ｍｍ±０.３０ｍｍに設定され、１２ｃｍディスクの場合は１２０ｍｍ±０.３０ｍｍに設定される。更に、ＤＶＤ１の内径は、８ｃｍディスクおよび１２ｃｍディスクとも、１５.００ｍｍ〜１５.１５ｍｍに設定される。
【００４６】
この例のＤＶＤ１によれば、ＤＶＤ１のベースディスク２全体を透明または半透明に形成するとともに、情報を読み取るための光が入射しかつ反射する側と反対側であるベースディスク２の第２ディスク基板４の表面に、絵、柄、模様、および文字等の装飾性情報およびＤＶＤ１の記録内容を示す記録性情報の少なくとも一方を表示する第１表示層１３を設けるとともに、この第１表示層１３の表面に設けられた不透明層に絵、柄、模様、および文字等の装飾性情報およびＤＶＤ１の記録内容を示す記録性情報の少なくとも一方を表示する第２表示層１６を設けているので、ＤＶＤ１の一側（方向Ａ）から見た情報およびＤＶＤ１の他側（方向Ｂ）から見た情報も、ともに左右逆に見えることはなく正規に見ることができる。
【００４７】
また、ＤＶＤ１の一側（方向Ａ）から見た情報およびＤＶＤ１の他側（方向Ｂ）から見た情報を種々設定することができるとともに、ＤＶＤ１の一側から見た情報およびＤＶＤ１の他側から見た情報を互いに異ならせたり同じにしたりすることができる。これにより、ＤＶＤ１に対する、文字、絵、模様、あるいは色彩等の意匠上の自由度が高くなるとともに、ＤＶＤ１の記録内容等の表示上の自由度も高くなる。
【００４８】
したがって、審美性および意匠性がより一層優れるとともに、表示性がより一層優れた光ディスクを得ることができる。
【００４９】
なお、第１および第２ディスク基板３,４、反射膜５、および接着剤６は、それぞれ前述のものに限定されることはなく、例えば前述の特許文献１に開示のものを始め、ＤＶＤに用いられている公知のものを用いることもできる。
【００５０】
また、本発明の光ディスクは、前述の例のようにＤＶＤに限定されることなく、一対の透明なディスク基板とこれらのディスク基板の間に介在された反射膜とを有するものであれば、例えばＣＤ等の他の光ディスクにも適用することができる。更に、本発明の光ディスクは、記録された情報を再生するための光ディスクに限定されることなく、情報を記録可能な光ディスク、記録および再生可能な光ディスクにも適用できる。
【産業上の利用可能性】
【００５１】
本発明の光ディスクは、一対の透明なディスク基板とこれらのディスク基板の間に介在された反射膜とを有し、光を用いて情報を記録および／または再生する、例えばＤＶＤ、ＣＤを始め、光情報記録媒体である種々の積層型の光ディスクに好適に利用することができる。
【図面の簡単な説明】
【００５２】
【図１】本発明に係る光ディスクの実施の形態の一例を模式的に示し、（ａ）は平面図、（ｂ）は（ａ）におけるIB−IB線に沿う断面図である。
【図２】透過率測定装置による透過率測定を説明する図である。
【図３】スパッタリング装置を模式的に示す図である。
【図４】装飾性情報および記録性情報の少なくとも一方をそれぞれ表示する第１および第２表示層の分解斜視図である。
【符号の説明】
【００５３】
１…ＤＶＤ、２…ベースディスク、３…第１ディスク基板、４…第２ディスク基板、５…反射膜、６…接着剤、１３…第１表示層、１４…第１背景層、１５…第２背景層、１６…第２表示層
【図１】
2006302460.tif 000004
【図２】
2006302460.tif 000005
【図３】
2006302460.tif 000006
【図４】
2006302460.tif 000007